(57)【要約】  本発明は、使い捨て吸収性失禁パッド（４）のための次のような固定・装着装置（２）に関する。すなわち固定・装着装置は、１つの腰ベルト（６）を持ち、腰ベルトは、ベルト繋止部材（２２）を用いて再分離可能な状態でそれ自体を閉じることができると共に腰の周方向（８）に延びる腰回りを形成するものである。この腰ベルトに失禁パッド（４）を再分離可能な状態で固定できることで、失禁パッドは、使用者の腰領域に装着され、使用後はふたたび腰ベルト（６）から取り外されて廃棄できる。腰ベルト（６）は、前側の腹部領域（１４）と、後ろ側の背面領域（１６）と、左側および右側の側面領域（１８、２０）とを含む。本発明は、次の構成を提案する。すなわち、腰ベルト（６）は、背面領域（１６）おおび腹部領域（１４）を出発点として、長手方向に使用者の股領域に向かって（３８）延びるフラップ片（３２、３４）を１つずつ有する。フラップ片は、その人体側に好ましくは機械的に作用する繋止部材（４０、４２）を持ち、繋止部材は、失禁パッド（４）の人体側にある相補的で好ましくは機械的に作用する繋止部材と、再分離可能な状態で粘着しながら協働する。
2013507207.tif 000002
【特許請求の範囲】
【請求項１】
使い捨て吸収性失禁パッド（４）のための固定・装着装置（２）であって、前記固定・装着装置は、１つの腰ベルト（６）を有し、前記腰ベルトは、ベルト繋止部材（２２）を用いて再分離可能な状態でそれ自体を閉じることができる腰回りであって、かつ腰の円周方向（８）に延びる腰回りを形成するものであり、前記腰ベルトに失禁パッド（４）を再分離可能な状態で固定できることで、前記失禁パッドは、使用者の腰領域に装着され、使用後はふたたび腰ベルト（６）から取り外されて廃棄でき、腰ベルト（６）が、前側の腹部領域（１４）と、後ろ側の背面領域（１６）と、左側および右側の側面領域（１８、２０）とを含む、固定・装着装置であって、
腰ベルト（６）が、背面領域（１６）おおび腹部領域（１４）を出発点として、長手方向に使用者の股領域に向かって（３８）延びるフラップ片（３２、３４）を１つずつ有し、前記フラップ片は、その人体側に好ましくは機械的に作用する繋止部材（４０、４２）を有し、前記繋止部材は、失禁パッド（４）の人体側にある相補的で好ましくは機械的に作用する繋止部材と、再分離可能な状態で粘着しながら協働することを特徴とする、固定・装着装置。
【請求項２】
前記フラップ片（３２、３４）が、股領域に向かって（３８）先細となることを特徴とする、請求項１に記載の固定・装着装置。
【請求項３】
前記フラップ片（３２、３４）の繋止部材（４０、４２）が、フラップ片の少なくとも１つの股側末端に設けられていることを特徴とする、請求項１または２に記載の固定・装着装置。
【請求項４】
前記フラップ片（３２、３４）の繋止部材（４０、４２）が、長手方向に亘って延びるループ状の材料片上に設けられ、前記材料片がフラップ片（３２、３４）に接合されていることを特徴とする、請求項１〜３のいずれか一項に記載の固定・装着装置。
【請求項５】
前記フラップ片（３２、３４）の繋止部材（４０、４２）が、使用開始前は、フラップ片（３２、３４）の人体側、または腰ベルト（６）の上に折り畳まれていて、この構造で、容易に再分離可能な状態で、フラップ片（３２、３４）または腰ベルト（６）の人体側に粘着していることを特徴とする、請求項１〜４のいずれか一項に記載の固定・装着装置。
【請求項６】
前記腰ベルト（６）が、ただ１つの領域だけで開閉でき、前記１つの領域において、ベルト繋止部材（２２）が、腰ベルト（６）の自由な末端部分（１０、１２）に設けられていることを特徴とする、請求項１〜５のいずれか一項に記載の固定・装着装置。
【請求項７】
第２の繋止部材（２６）が設けられ、前記第２の繋止部材を用いて、腰ベルト（６）の円周長さを調整できると共に、少なくとも前側フラップ片（３２）を、使用者の股に関して対称形に位置決めできることを特徴とする、請求項１〜６のいずれか一項に記載の固定・装着装置。
【請求項８】
前記ベルト繋止部材（２２）と第２の繋止部材（２６）とが、腰ベルト（６）の腹部領域（１４）の両側、または側面領域（１８、２０）に設けられていることを特徴とする、請求項７に記載の固定・装着装置。
【請求項９】
前記第２の繋止部材（２６）が、固定・装着装置の装着状態では、外見および手触りの少なくとも一方の点では、ベルト繋止部材（２２）と区別できないことを特徴とする、請求項７または８に記載の固定・装着装置。
【請求項１０】
前記第２の繋止部材（２６）が、固定・装着装置の装着状態では、外見および手触りの少なくとも一方の点では、ベルト繋止部材（２２）と区別できることを特徴とする、請求項７または８に記載の固定・装着装置。
【請求項１１】
前記第２の繋止部材（２６）の一方の部材が、腰ベルトに接合された材料片（２８）に設けられ、他方の部材が、腰ベルト（６）の外側に設けられていることを特徴とする、請求項７、８、９、または１０に記載の固定・装着装置。
【請求項１２】
前記ベルト繋止部材（２２）および第２の繋止部材（２６）の少なくとも一方が、長手方向（３０）における腰ベルト（６）のほぼ全長にわたって延びることを特徴とする、請求項７〜１１のいずれか一項に記載の固定・装着装置。
【請求項１３】
前記腰ベルト（６）が、少なくとも１つの弾性部分（４４）を、好ましくはいずれの側面領域（１８、２０）にも１つずつ弾性部分（４４）を含むことで、腰ベルト（６）が腰回り円周方向（８）に弾性伸長可能であることを特徴とする、請求項１〜１２のいずれか一項に記載の固定・装着装置。
【請求項１４】
前記腰ベルト（６）の腹部領域（１４）および背面領域（１６）の少なくとも一方が、ほとんど伸長不可能に形成されていることを特徴とする、請求項１〜１３のいずれか一項に記載の固定・装着装置。
【請求項１５】
前記腰ベルト（６）は、好ましくはいずれの箇所でも、長手方向（３０）におけるその長さが、少なくとも５ｃｍ、特には少なくとも６ｃｍ、さらに特には少なくとも７ｃｍ、さらに特には少なくとも８ｃｍ、さらに特には少なくとも９ｃｍ、さらに特には少なくとも１０ｃｍであることを特徴とする、請求項１〜１４のいずれか一項に記載の固定・装着装置。
【請求項１６】
前記フラップ片（３２，３４）は、腰ベルトの股側周縁にわたって、その長手方向（３０）における長さが、少なくとも５ｃｍ、特には少なくとも６ｃｍ、さらに特には少なくとも７ｃｍ、さらに特には少なくとも８ｃｍ、さらに特には少なくとも９ｃｍ、さらに特には少なくとも１０ｃｍ、しかし、特には多くとも２０ｃｍ、そして、特には１０〜１８ｃｍ、さらに特には１０〜１５ｃｍであることを特徴とする、請求項１〜１５のいずれか一項に記載の固定・装着装置。
【請求項１７】
前記フラップ片（３２、３４）が、腰ベルト（６）の腹部領域（１４）および背面領域（１６）の少なくとも一方と一体型に形成されていることを特徴とする、請求項１〜１６のいずれか一項に記載の固定・装着装置。
【請求項１８】
前記腰ベルト（６）の腹部領域（１４）および背面領域（１６）の少なくとも一方が、不織布材料または不織布複合材量から形成されていることを特徴とする、請求項１〜１７のいずれか一項に記載の固定・装着装置。
【請求項１９】
前記腰ベルト（６）の弾性伸長可能な側面領域（１８、２０）が、ほとんど伸長不可能な腹部領域（１４）と、ほとんど伸長不可能な背面領域（１６）とに、再分離不可能に結合されていることを特徴とする、請求項１〜１８のいずれか一項に記載の固定・装着装置。
【発明の詳細な説明】
【技術分野】
【０００１】
本発明は、使い捨て吸収性失禁パッドのための、次のような腰ベルトを持つ固定・装着装置に関する。すなわちこの腰ベルトは腰回りを形成し、この腰回りは、ベルト繋止部材によりそれ自体を再分離可能に閉じることができて、かつ腰の周方向に延びる。このベルトに失禁パッドを再分離可能に固定できるので、このパッドは、使用者の股領域に装着され、使用後はふたたび腰ベルトから取り外され、廃棄することができる。また、腰ベルトは、前側の腹部領域、後ろ側の背面領域、そして左側および右側の側面領域を含む。
【背景技術】
【０００２】
この種の固定・装着装置は、たとえばＷＯ２００４/０６９１２２Ａ１から公知である。この公知の固定・装着装置の場合、腰ベルトは、腹部領域でそれ自体が閉じられる。腹部領域と背面領域の間の左側および右側の側面領域では、腰ベルトが下方に広くなって、フラップ状の継ぎ足し部を１つずつ形成し、比較的幅広に張り出した吸収性オムツユニットを、この継ぎ足し部に固定することができる。その際、前側と後ろ側の両方で、吸収性オムツユニットの人体と反対側に、そのための繋止部材が設けられて、固定される。
【０００３】
ＥＰ０７００２７８Ｂ１もまた、いわゆるベルトつきオムツを示し、このオムツには、それ自体を閉じることができる比較的細い腰ベルトがついていて、このベルトの人体側に、オムツ状の吸収性ユニットを固定することができる。
【発明の概要】
【発明が解決しようとする課題】
【０００４】
本発明の課題は、冒頭に挙げた種類の固定・装着装置であって、比較的小型の失禁パッドと組み合わせても使用できるにもかかわらず、使用者に装着された状態では、パンツを思わせる構造を形成するものを得ることである。
【課題を解決するための手段】
【０００５】
本発明はこの課題を、上記の種類の固定・装着装置から出発して、次のように解決する。すなわち、この腰ベルトは、背面領域と腹部領域から出発するフラップ片を１つずつ有するが、このフラップ片は、好ましくは長手中心軸に対称形に設けられ、そして長手方向に使用者の股領域に向かって延びるものとし、またこのフラップ片は、その人体側に、好ましくは機械的に作用する複数の繋止部材を有し、これら繋止部材は、失禁パッドの繋止部材、すなわち人体と反対側にあってかつ相補的で好ましくは機械的に作用する同繋止部材と協働して、再分離可能な状態で互いに粘着する。
【０００６】
使用者の股領域に向かって延びるフラップ片によって、この腰ベルトは同時に、パンツの基本的な構造を形成する。これに股領域を補足すれば、それだけでパンツの形状が完成される。この股領域は、本発明による固定・装着装置の場合、吸収性失禁パッドによって形成される。この場合、当該後ろ側および前側のフラップ片は、失禁パッドの人体と反対側と協働して、再分離可能に粘着する。しかもその際、好ましくは機械的に作用するか、または粘着によって作用する繋止部材を使用する。
【０００７】
フィット性を改善し、取り扱いを簡単にするためには、当該フラップ片を股領域に向かって先細とすれば有利である。
【０００８】
さらにはフラップ片の繋止部材を、そのフラップ片の股側末端に設ければ有利である。それだけでなく、後ろ側および／または前側のフラップ片に、１つ以上のさらなる繋止部材を設ければ有利である。これら繋止部材は、股側末端と腰ベルトの間に位置決めされ、失禁パッドの追加的な固定に用いられる。
【０００９】
さらには、この好ましくは機械的に作用するフラップ片繋止部材が、とくにフラップ片の股側末端で、長手方向を横切って延びる帯状の材料片に設けられていれば有利である。この材料片は、フラップ片に接合されているものとする。このような方法で、フラップ片の平面的広がり全体を、横方向においては意図された目的に従って使用者に対称形の状態で、失禁パッドの外側に再分離可能に固定することができる。フラップ片を、こうして広範囲に折り目なしで、前記のように脚や股領域に対し、または使用者を考慮に入れた長手中心軸に対して、正確に広げて固定することができる。
【００１０】
失禁パッドの外側はこの場合、フラップ片の繋止部材に呼応するものに形成されている。すなわち、機械的繋止部材がフックの形状である場合、失禁パッドの外側は、好ましくはループを形成する部材によって、好ましくは不織布によって、とくには不織布‐フィルム‐ラミネートの不織布層によって形成される。他方、繋止手段が粘着性である場合、失禁パッドの外側は、好ましくはフィルム層によって形成され、このフィルム層に粘着性の繋止手段が付着できるものとする。
【００１１】
本発明のもう１つの考案によれば、フラップ片の繋止部材、とくに股側末端にある繋止部材は、使用前はフラップ片の人体側の上に折り畳まれ、この構造で容易に再分離可能な状態で、フラップ片の人体側に粘着しているものとすれば有利である。このようにして、フラップ片に設けられたとくに機械的に作用する繋止部材は、腰ベルトに装着されている間、とくに介護必要な人の場合、失禁パッドの固定に必要とならない間は、使用されていない状態にある。繋止部材はこの場合、腰ベルトまたはそのほかの部材、たとえばシーツ、ベッドパッドなどに引っ掛かって、腰ベルトの装着を妨げることはない。すなわち実際の使用では、前側および／または後ろ側のフラップ片が、それ自体折り畳まれ、そして／または腰ベルトの上に折り畳まれていて、腰ベルトおよび失禁パッドが装着された後に初めて、この折り畳みがパッドを固定するために開かれることが有利な場合がある。
【００１２】
実際に使用する際の取り扱い性の点では、腰ベルトは、閉じたり開いたりできるのはただ１領域においてのみとし、ベルト繋止部材はこの領域で、腰ベルトの自由な末端部分に設けられている場合も有利である。すなわち腰ベルトは長く延びていて、２つの末端部分を持つ。これら末端部分は、ベルト繋止部材によって相互間に閉じられ、腰ベルトを使用者の身体周囲に取り回して装着できるようにすることができる。
【００１３】
本発明の上記考え方の発展形として、他方の側面領域、すなわちベルトを開いたり閉じたりできない方の側面領域に第２の繋止部材を設け、この繋止部材を用いて腰ベルトの円周長さを調整でき、少なくとも前側のフラップ片を使用者の股に関して対称形に位置決め可能とすれば、有利である。好ましくは、第２の繋止部材を形成するに当たっては、この繋止部材が、固定・装着装置が装着状態にあるとき、外見および／または手触りの点では、ベルト繋止部材と区別がつかないように形成する。しかし、繋止部材の機能が異なることを示すため、第２の繋止部材がベルト繋止部材と、外見および／または手触りで区別できるものとすれば有利な場合もある。これはたとえば、色、形状、組織構造を異なるものとするか、あるいはまた別な方法によって行うことができる。ベルト繋止部材と第２の繋止部材とは、この場合、腰ベルトの腹部領域の両側および／または側面領域に設ければ有利である。腰ベルト装着のとき、介護担当者は、広げられて長く延ばされた腰ベルトを、横たわる患者の身体の下で腰回りに沿って通す。次にベルトは、閉じられた腰部開口を形成するため、ベルト繋止部材によってそれ自体が閉じられる。この状態で、ベルトはたしかに装着されているが、まだ第２の繋止部材の活動化による最良のフィット形態になっていない。たとえば、この状態で、腹部側のフラップ片は、ベルト繋止部材を閉じることによって加えられる腰回り周方向の引張力により、該当する側の方に引っ張られる。この引張力には、最適な腰回り長さと、腰回り周方向の適切な張力とを調節することによって、対処できる。そのためには、第２の繋止部材を相応の最適さに調整する。したがってこれらの第２の繋止部材によって、すでに述べたように、２つの開かれた自由な末端が相互に閉じられるのではなく、必要があれば腰ベルトの円周長さを調節する。
【００１４】
第２の繋止部材は、さまざまな方法で実現できる。本発明の１つの好ましい実施形態が提案するのは、第２の繋止部材の一方の部材を、腰ベルトに接合された材料片上に設け、他方の部材は、腰ベルト自体の外側に設けることである。したがってこのような場合、腰ベルトそのものは変更を加えられず、腰ベルトに追加的な部材が設けられる。この追加的な部材は、第２の繋止部材を支持する材料片、かつそれ自体任意の方法で腰ベルトの材料の上に取り付けできる材料片という形である。この取り付けは、縫いつけ、接着、シーリング接着、超音波溶接、または同様な一般的接合方法による。
【００１５】
ベルト繋止部材および／または第２の繋止部材が、長手方向における腰ベルトのほぼ全長にわたって、つまり腰ベルトの幅全体にわたって延びる場合も有利である。この場合、第２の繋止部材を調整する際、ベルトの全幅にわたって均一な力を、ベルトに加えることができる。
【００１６】
ベルト繋止部材および／または第２の繋止部材を、それらの自由な末端に向かって先細とし、または幅を次第に狭めることも考えられる。これら繋止部材の角部と使用者の皮膚とのこすれを最小限にするためである。
【００１７】
第２の繋止部材を使用してベルトの円周長さを短縮するためには、好ましくは、第２の繋止部材を閉じることによって、ベルトにＺ字型の折り目をつける。この折り目は、使用者の身体表面に対してそのとき生じる腰ベルトの圧力によって、そして／またはＺ字型折り目で相互に密着する各部分の摩擦によって保持される。
【００１８】
良好なフィット性と高い装着快適性を得るという点では、腰ベルトが、少なくとも１つの弾性部分を、好ましくはいずれの側面領域でも１つの弾性部分を含むものとして、腰ベルトが腰回り円周方向に弾性伸長できるようにすれば、有利である。
【００１９】
さらには、腰ベルトを、腹部領域および／または背面領域では、ほとんど伸長できないものに形成すれば、有利である。
【００２０】
しかし上記と異なる実施形態として、１つ以上の弾性部分を、腹部領域および／または背面領域に設け、この場合好ましくは、楔形、台形、または四角形の弾性部分として設けるならば、有利である。
【００２１】
腰ベルトの寸法の点では、腰ベルトを、好ましくはいずれの箇所でも、長手方向における寸法が少なくとも５ｃｍ、特には少なくとも６ｃｍ、さらに特には少なくとも７ｃｍさらに特には少なくとも８ｃｍ、さらに特には少なくとも９ｃｍ、さらにとくには少なくとも１０ｃｍとすれば有利である。この場合、長手方向における固定ベルトの寸法とは、固定ベルトが円周方向に延びるのを横切るベルト幅、しかも前側および後ろ側のフラップ片より上のベルト幅をいう。長手方向におけるこの寸法は、好ましくは最高でも２０ｃｍとする。特に好ましくは、この寸法は、腹部領域における方が背面領域におけるよりも小さい。そして腰ベルトの上縁は、好ましくは、製品のフィット性が改善されるように腹部部分を形成するのが容易な輪郭とする。
【００２２】
フラップ片の寸法に関しては、フラップ片の長手方向における寸法を、腰ベルトの股側円周周縁にわたって少なくとも５ｃｍ、特には少なくとも６ｃｍ、さらに特には少なくとも７ｃｍ、さらに特には少なくとも８ｃｍ、さらに特には少なくとも９ｃｍ、さらに特には少なくとも１０ｃｍ、しかし、特には多くとも２０ｃｍ、そして、特には１０〜１８ｃｍ、さらに特には１０〜１５ｃｍとする。この場合、前側および後ろ側のフラップ片は、寸法を同じとすることも、異なるものとすることもできる。
【００２３】
本発明の１つの好ましい実施形態では、当該フラップ片が、腰ベルトの腹部領域および／または背面領域と一体型に形成されている。しかし、腰ベルトと同じ材料のものを、または腰ベルトと異なる材料のものを、別付け接合したフラップ片も考えられる。
【００２４】
この腰ベルトの腹部領域および／または背面領域は、好ましくは、不織布材料または不織布複合材料、特にはほとんど伸長不可能な不織布材料または不織布複合材料から形成されている。
【００２５】
そのほか、腰ベルトの弾性伸長可能な側面領域が、ほとんど伸長不可能な腹部領域およびほとんど伸長不可能な背面領域と、再分離不可能に結合されたものとすれば、特に有利である。好ましくは、いずれの側面領域も弾性伸長可能な部分を含むものとする。
【００２６】
それだけでなく、前側および／または後ろ側のフラップ片を色彩あるものに形成し、その際、これらの部分を好ましくは異なる色として、視覚的な装着補助手段として用いれば、有利である。
【００２７】
前側および／または後ろ側のフラップ片に１つのマーキングを取り付けて、このマーキングを失禁パッドの位置決め補助手段として用い、またこの取り付けに当たっては、失禁パッドと固定・装着装置が正しく装着されると、前側および／または後ろ側フラップ片上のマーキングが、失禁パッドの外側位置に視認されるマーキング、たとえば濡れ標識としてのマーキングと一致するようにすれば、有利である。
【００２８】
本発明のそのほかの諸特徴、詳細、利点を、添付の特許請求の範囲、使い捨て吸収性失禁パッドのための本発明による固定・装着装置の１つの好ましい実施形態の図面と下記の説明に記載する。
【図面の簡単な説明】
【００２９】
【図１】本発明による固定・装着装置の１つの実施形態であって装着状態にあるものを、使い捨て吸収性失禁パッドとともに示す。
【図２】本発明による固定・装着装置の１つの実施形態であって装着状態にあるものを、使い捨て吸収性失禁パッドとともに示す。
【図３】固定・装着装置が開かれて平坦な基盤上に広げられた状態にあるときの模式的上面図である。
【発明を実施するための形態】
【００３０】
図１および２は、番号４を付した吸収性失禁パッドのための固定・装着装置の全体に番号２を付して、その斜視図を示す。しかもこれは使用者に装着された状態にある。固定・装着装置２は、それ自体を再分離可能に閉じることができる腰ベルト６を含み、この腰ベルトは、腰回り周方向８に沿って延び、２つの自由な末端部分１０、１２を有する（図３参照）。これら末端部分は、閉じられた腰回り形状を形成する際には、それら自体を閉じることができる。
【００３１】
この固定・装着装置２またはその腰ベルト６は、前側の腹部領域１４、後ろ側の背面領域１６、それに左側の側面領域１８、右側の側面領域２０を含む。
【００３２】
腰ベルト６を閉じるために、その自由な末端部分１０、１２にベルト繋止部材２２を設けていて、この繋止部材は、好ましいケースを例示すると、機械的に作用しかつフック／ループシステムの形を取る繋止部材によって形成されている。このフック状の繋止部材を図では番号２４を付して示した。この繋止部材は、腹部領域１４の外側表面の形を取るループを形成する部材２５に、再分離可能に付着して協働する。たとえば、腹部領域１４の外側は不織布材料を含み、この不織布材料が繋止システムのループ状部材２５を形成する。
【００３３】
さらには、ただ末端部分１０、１２だけ、すなわちただ１箇所だけで開くことができる腰ベルト６は、第２の繋止部材２６を備え、この繋止部材を用いて、腰ベルト６の周長さを調整できる。この第２の繋止部材２６は、側方で腹部領域１４または左側側面領域１８に接して設けられる。これは、第２の繋止部材は、ベルト繋止部材と機能を異にするにもかかわらず、固定・装着装置が装着された状態のとき（図１参照）、形状および配置の点では、ベルト繋止部材２２と同じ外見上の印象をあたえるための構成である。すなわち、第２の繋止部材２６は、腰ベルト６を開くことができて、たがいに分離できる末端部分を結合するものではない。この第２の繋止部材２６は単に、腰ベルト６の周長さを装着条件に適合させるためだけのものである。このため、第２の繋止部材２６は腰ベルト６の外側に取り付けられた材料片２８を含み、この材料片に第２の繋止部材自体が設けられている。この材料片２８は、好ましくは、ベルトの長手方向寸法全体にわたって（長手方向中心軸３０に沿って）、すなわちベルト幅全体にわたって延び、これにより同時に引張力を腰ベルトに導くことができる。この第２の繋止部材２６は、これもまた好ましくは機械的に作用する繋止部材、とくにはフック／ループ型材料である。好ましい例を例示すると、第２の繋止部材２６は、形成されるに当たって、材料片２８に繋止システムのフック形成部材が設けられ、このフック形成部材は腹部領域１４のループ形成型の外面と協働するように形成されている。これについては先に、ベルト繋止部材２２の項で説明した。
【００３４】
その他の重要な部材として、腰ベルト６は、腹部領域１４および背面領域１６から、長手中心軸３０に対称形に形成された前側および後ろ側のフラップ片３２、３４を１つずつ持つ。これらフラップ片３２、３４は、好ましいケースを例示すると、腰ベルト６と一体型に形成されている。これらフラップ片は、腰ベルトの股側または下側の長手周縁３６から、長手中心軸３０に沿って、股領域の方向３８に延びる。これらフラップ片は、側方を円弧形の輪郭に形成されるものとすることができる。これらフラップ片３２、３４は、その下側、股側の末端領域に、しかも人体側に、機械的に作用する繋止部材４０、４２を持つ。これら機械的に作用する繋止部材４０、４２は、失禁パッド４の人体と反対側にある機械的に作用する相補的な繋止部材と、再分離可能に粘着しながら協働する。これにより失禁パッド４は、再分離可能な状態で、しかし係留されて、固定・装着装置２に固定される。好ましくは、繋止部材４０，４２は、機械的に作用する繋止システムのフック形成部材とし、このフック形成部材が、失禁パッド４の人体側にあるループ形成部材と協働する。ループ形成部材は、この場合有利な方法として、不織布コーティングによって、好ましくは失禁パッド４の不織布‐フィルム‐ラミネートの不織布層によって形成されるものとすることができる。
【００３５】
腰ベルト６は、好ましくは、不織布材料または不織布複合材料から製造されている。しかし好ましい例を例示すると、腹部領域１４および背面領域１６は、ほとんど伸長不可能な不織布材料または不織布複合材料から形成されていて、これら領域の外側は、ベルト繋止部材２２または第２の繋止部材２６のループ形成部材として用いられる。しかし２つの側面領域１８、２０は、弾性伸長可能なものとして形成され、弾性伸長可能な材料片４４を有す。この材料片は、意図された目的に従って、腹部領域１４および背面領域１６の伸長不可能な材料と、再分離不可能に結合されている。
【００３６】
固定・装着装置２と吸収性失禁パッド４と一緒に装着するには、次のように行う。寝たきりで介護を必要とする患者の場合、介護担当者は、まず腰ベルト６を、患者の身体の下で腰回りに沿って通す。腰ベルト６はこのとき、その背面領域１６がお尻の下に、そして腹部領域１４がほぼ全面中央に来るよう位置決めされる。次に腰ベルト６の自由な末端部分１０，１２をたがいに重なり合う位置に置き、ベルト繋止部材２２を用いて相互に閉じ合わせる。つづいて材料片２８と第２の繋止部材２６とを位置決めして閉じることにより、腰ベルト６の円周方向８における長さと張力が最適化され、その結果、均一な引張力が腹部領域１４の左右に加えられる。そして腹部領域１４も背面領域１６も、好ましくは、患者に対して対称形となる位置に、かつできるだけ折り目のない位置に来るものとする。この場合、快適な装着感も目標となる。次には、機械的に作用する繋止部材４０、４２を用いて、前側および後ろ側のフラップ片３２、３４を、前もって、またはこのとき初めて患者の股領域で位置決めされた失禁パッド４と、再分離可能に粘着させながら結合する。この場合も、前側および後ろ側のフラップ片３２、３４が、均一かつ程よい引張力または保持力の使用の下で固定されるよう注意する。これは、失禁パッド４が、規定に従った対称形配置で、患者の股領域に保持されるようにするためである。
【００３７】
衛生用品または失禁用品の装着までの前記各ステップの順序の点では、介護担当者は比較的自由である。たとえばある特定の介護条件下では、最初に失禁パッドを、患者の股領域に前もって位置決めしておき、その後初めて、腰ベルト６をそれ自体閉じることが有利な場合がある。フラップ片３２、３４を失禁パッド４と結合した後初めて、第２の繋止部材２６を用いて、腰回り円周方向８に最適の張力を決めることが有利な場合がある。
【図１】
2013507207.tif 000003
【図２】
2013507207.tif 000004
【図３】
2013507207.tif 000005
【国際調査報告】
2013507207.tif 000006
2013507207.tif 000007
2013507207.tif 000008
2013507207.tif 000009
2013507207.tif 000010
2013507207.tif 000011